(57)【要約】【課題】プラスチックフィルムを基材とした積層体からなる包装袋において、内容物の取り出しに別部材のスパウトを取り付けて用いることなく、密封性が高く、液漏れのおそれがなく、繰り返しの開閉が容易な包装袋を安価に提供することを課題とする。【解決手段】包装袋は、包装袋本体と、蓋部プラスチックフィルムと、断面が凸形、および凹形の、プラスチック製の一対以上の雄嵌合子および雌嵌合子を備えてなり、蓋部プラスチックフィルムは、開口部、およびその外側周縁を覆って設けられ、一対以上の雄嵌合子および雌嵌合子は、包装袋本体と蓋部プラスチックフィルムとの間に、開口部の外側周縁を周回して繋ぎ目なく閉じた形状に設けてあり一対以上の雄嵌合子および雌嵌合子は、嵌合可能に対向させて、配置してあることを特徴とする包装袋である。【選択図】図１
2019156460.tif 000002
【特許請求の範囲】
【請求項１】
包装袋であって、
該包装袋は、包装袋本体と、蓋部プラスチックフィルムと、断面が凸形、および凹形の、プラスチック製の一対以上の雄嵌合子および雌嵌合子を備えてなり、
該包装袋本体は、プラスチックフィルムを基材とした積層体からなり、包装袋の内容物の取り出しが可能な開口部を有しており、
該蓋部プラスチックフィルムは、開口部、およびその外側周縁を覆って設けられ、
該一対以上の雄嵌合子および雌嵌合子は、包装袋本体と蓋部プラスチックフィルムとの間に、開口部の形状に沿って、開口部の外側周縁を周回して繋ぎ目なく閉じた形状に設けてあり、
該一対以上の雄嵌合子および雌嵌合子は、嵌合可能に対向させて、配置してあることを特徴とする、包装袋。
【請求項２】
前記開口部、およびその外周周縁の、一対以上の雄嵌合子および雌嵌合子の形状は、円形であることを特徴とする、請求項１に記載の包装袋。
【請求項３】
前記一対以上の雄嵌合子および雌嵌合子は、一対以上のジッパーテープが、包装袋本体と蓋部プラスチックフィルムそれぞれに積層されて構成されていることを特徴とする、請求項１または請求項２に記載の包装袋。
【請求項４】
前記一対以上のジッパーテープの、雄嵌合子側、または雌嵌合子側、もしくは両方が、包装袋本体と蓋部プラスチックフィルムに一体成型されて形成されたものであることを特徴とする、請求項１〜請求項３のいずれかに記載の包装袋。
【請求項５】
前記雄嵌合子、または雌嵌合子、もしくは両方が、包装袋本体と蓋部プラスチックフィルムに直接成型されて形成されたものであることを特徴とする、請求項１または請求項２に記載の包装袋。
【請求項６】
前記雄嵌合子、または雌嵌合子、もしくは両方の成型は、射出成型、または圧縮成型によって形成されたものであることを特徴とする、請求項１〜請求項５のいずれかに記載の包装袋。
【発明の詳細な説明】
【技術分野】
【０００１】
本発明は包装袋に関するものである。特にプラスチックフィルムを基材とした積層体からなる包装袋であって、液漏れがなく、内容物の注ぎ出しが容易で、安価な包装袋に関するものである。
【背景技術】
【０００２】
従来より、プラスチックフィルムを基材として、シーラント層を有する積層体からなる包装袋は、シーラント層以外がプラスチックフィルム単層で構成される場合のみならず、他のフィルムや樹脂層、金属箔などとの積層体として、内容物による要求品質に応じた層構成や材料設計が可能であることが特徴のひとつであって、様々な用途に広く用いられている。
【０００３】
特に、包装袋のうち液体容器と呼ばれるものには、プラスチックフィルムを基材とする単体または積層体から構成されるものが広く普及しており、近年さまざまな形態のものが、幅広い用途に用いられており、企業活動や現代生活にとっては不可欠なものとなっている。
【０００４】
例えば液体容器が用いられるものとして、飲料のほかレトルト食品などの食品分野でも広く用いられているほか、日用品やトイレタリーの分野でも、さまざまな商品がスーパーマーケットをはじめとして、百貨店、ドラッグストア、コンビニエンスストアなどの商品棚をにぎわしている。
【０００５】
プラスチックフィルムを基材とする包装袋は、材料コストが安価であることや、缶やビンの容器に比べて容器自体がかさばらず、容器自体の運搬や保管において省スペースであることなどが利点とされている。
【０００６】
しかしながら、容量が大きいものに使おうとすると、容器自体は軟質の素材であるために、自立しにくいことや、積み重ね、またハンドリングや運搬などの点で、扱いにくい点がありその容量の大型化には限界がある。
【０００７】
そこで、プラスチックフィルムを基材とする液体容器を、ダンボールなどの紙製の箱に収納して二重構造の容器にしたものが、バッグインボックスとして考案されて商品化されている。これはプラスチックフィルムを基材とする液体容器と、ダンボールなどの紙製の箱の利点をそれぞれに生かした容器として、主に大きな容量の液体容器として用いられている。
【０００８】
液体の充填は、内側のプラスチックフィルムを基材とする液体容器に取り付けられたスパウトと呼ばれる口栓から行なうことができ、内容物の液体を注ぎ出すためには、口栓を外箱から外に引き出して、開閉して行なうことができる。
【０００９】
このように、注ぎ口を有する包装袋は、流体の内容物を注ぎ出す用途に優れている。たとえば、二重構造の容器のみならず、包装袋単体として、飲料や食品用途にも広く用いられており、液体のほかペースト状の食品にも好適に用いられている。ほかにも味噌などの調味料に用いられる例もあり、性能面でもコスト面などでもガラス瓶や缶などに比べて有利である。
【００１０】
ほかにもたとえば、食用油、ソース、コーヒー飲料などの飲料、食品に限らず、液体洗
剤、柔軟剤等のトイレタリー用品や、エンジンオイルなどの工業製品など、液体やペースト状の内容物であれば包装袋への充填・収納が容易に可能であり、また用途に応じて保存性などにも優れたものを選択することが可能である。
【００１１】
そのほか、最近ではプラスチックやガラスのボトルを使い捨てにすることをやめ、環境保護の観点から、詰め替え用の容器を用いることで廃棄物を削減する動きも見られ、プラスチックフィルムを基材として、シーラント層を有する積層体からなる包装袋に対しては、特にその需要が高まっている。
【００１２】
一般に包装袋は、内容物の情報を表示して包装袋内部に収納し、外部環境から内容物を保護し、また保存することができる機能を有するものであり、内容物を取り出すに当っては、取り出しやすさ、特に流体であれば注ぎ出し易さが重要であって、内容物やその目的によって形態や材料構成は様々である。
【００１３】
特に注ぎ出し易さについては、包装袋の開封後、開口部から取り出すに際して、注ぎ出しが安定して容易であるのはもちろんのこと、外部にこぼれ出たり、手が汚れたりすることがあっては不都合であり、開口部が安定してその形状を保っていることが望ましい。
【００１４】
開口部が安定した形状を保つことができない場合には、注ぎ出しの作業そのものが不安定で、内容物がこぼれ出たりする問題を引きおこすおそれがある。あるいは内容物の注ぎ出しの最中に開口部が閉じてしまう場合には、開口部を再び開けなくてはならず、その手指による作業は新たに開封する作業よりも困難を伴い、内容物がこぼれ出るおそれのみならず、手指が汚れるおそれもあり使用者、消費者を悩ませてきた。
【００１５】
これは、内容物が液体であっても、ペースト状であっても、共通の課題として改善が求められるところである。従来にはたとえば包装袋に口栓をとりつけて、取り出しやすさを改善することも行なわれてきた。
【００１６】
しかしながら、口栓および密封のためのキャップは、一般にプラスチックの成形品からなり、別部材、別工程を必要とするために、密封性に優れ、液漏れも起こしにくい利点はあるものの、コスト面において高くなってしまい不利である。
【００１７】
さらに使用後に廃棄する場合においては、口栓およびキャップと本体の分離・分別が必要となる場合もあり、包装袋あるいは充填後の商品の在庫や輸送効率においても、かさばってしまうという問題を抱えている。注ぎ出し口部にフィルムとは別の部材を挿入する場合もまた同様である。
【００１８】
特許文献には、バッグインボックスの内袋として、ブロッキング耐性の向上やピンホールを発生させない内袋の提案がなされているが、液体内容物のくみ出しには、スパウトを用いる一般的な構成であって、前述の問題の解決には至っていない。
【００１９】
また、実用化された商品の例として、たとえばウエットティッシュ等で、平面部外側よりスパウトとキャップが一体に射出成型されたものもあるが、液漏れ対策として効果が見られるものの、嵩張ることや、パーツ製作コストが高くなり、高級な商品以外には採用されにくいのが実情である。
【００２０】
コストの点を念頭において開発された例としては、携帯用のウエットティッシュの包装袋の例がある。これは、平面部に取り出し口のハーフカットを設けて、取り出し口の外周になる部分に粘着加工された別のカバーフィルムをあてることにより、カバーフィルムを引き上げてハーフカット部に取り出し口をあけ、さらに粘着部分によって繰り返しの開閉
を可能にしたものである。
【００２１】
この例では、開閉の容易さ、生産性の高さ、コスト面でのメリットはあるものの、粘着によるシールは完全ではなく、粘着部に異物や内容物由来の成分などが付着するおそれがある上、液漏れの防止にも不完全なものであった。
【先行技術文献】
【特許文献】
【００２２】
【特許文献１】特開２００１−８８８４４号公報
【発明の概要】
【発明が解決しようとする課題】
【００２３】
本発明はこのような状況に鑑みてなされたものであり、プラスチックフィルムを基材とした積層体からなる包装袋において、内容物の取り出しに別部材のスパウトを取り付けて用いることなく、密封性が高く、液漏れのおそれがなく、繰り返しの開閉が容易な包装袋を安価に提供することを課題とする。
【課題を解決するための手段】
【００２４】
請求項１に記載の発明は、
包装袋であって、
該包装袋は、包装袋本体と、蓋部プラスチックフィルムと、断面が凸形、および凹形の、プラスチック製の一対以上の雄嵌合子および雌嵌合子を備えてなり、
該包装袋本体は、プラスチックフィルムを基材とした積層体からなり、包装袋の内容物の取り出しが可能な開口部を有しており、
該蓋部プラスチックフィルムは、開口部、およびその外側周縁を覆って設けられ、
該一対以上の雄嵌合子および雌嵌合子は、包装袋本体と蓋部プラスチックフィルムとの間に、開口部の形状に沿って、開口部の外側周縁を周回して繋ぎ目なく閉じた形状に設けてあり、
該一対以上の雄嵌合子および雌嵌合子は、嵌合可能に対向させて、配置してあることを特徴とする、包装袋である。
【００２５】
また、請求項２に記載の発明は、
前記開口部、およびその外周周縁の、一対以上の雄嵌合子および雌嵌合子の形状は、円形であることを特徴とする、請求項１に記載の包装袋である。
【００２６】
また、請求項３に記載の発明は、
前記一対以上の雄嵌合子および雌嵌合子は、一対以上のジッパーテープが、包装袋本体と蓋部プラスチックフィルムそれぞれに積層されて構成されていることを特徴とする、請求項１または請求項２に記載の包装袋である。
【００２７】
また、請求項４に記載の発明は、
前記一対以上のジッパーテープの、雄嵌合子側、または雌嵌合子側、もしくは両方が、包装袋本体と蓋部プラスチックフィルムに一体成型されて形成されたものであることを特徴とする、請求項１〜請求項３のいずれかに記載の包装袋である。
【００２８】
また、請求項５に記載の発明は、
前記雄嵌合子、または雌嵌合子、もしくは両方が、包装袋本体と蓋部プラスチックフィルムに直接成型されて形成されたものであることを特徴とする、請求項１または請求項２に記載の包装袋である。
【００２９】
また、請求項６に記載の発明は、
前記雄嵌合子、または雌嵌合子、もしくは両方の成型は、射出成型、または圧縮成型によって形成されたものであることを特徴とする、請求項１〜請求項５のいずれかに記載の包装袋である。
【発明の効果】
【００３０】
本発明によれば、プラスチックフィルムを基材とした積層体からなる包装袋において、内容物の取り出しに別部材のスパウトを取り付けて用いることなく、密封性が高く、液漏れのおそれがなく、繰り返しの開閉が容易な包装袋を安価に提供することが可能である。
【００３１】
すなわち、本発明においては、内容物の取り出しは開口部から行なうことができることに加えて、その密封は蓋部プラスチックフィルムと包装袋本体と蓋部プラスチックフィルムとの間に設けられた一対以上の雄嵌合子および雌嵌合子によってなされるのであり、別部材のスパウトを取り付けて用いる必要がないために、密封性が高く、液漏れのおそれがなく、繰り返しの開閉が容易な包装袋を安価に提供することが可能である。
【００３２】
特に請求項２に記載の発明によれば、プラスチックフィルムを基材とした積層体からなる包装袋において、内容物の取り出しに別部材のスパウトを取り付けて用いることなく、密封性が高く、液漏れのおそれがなく、繰り返しの開閉がより容易な包装袋をより安価に提供することが可能である。
【００３３】
すなわち、開口部、およびその外周周縁の、一対以上の雄嵌合子および雌嵌合子の形状は、円形とすることによって、開口部はその開口面積に対して、最短の開口部境界とすることができる。また一対以上の雄嵌合子および雌嵌合子もその形状を円形、すなわちリング状にすることによって、取り囲む面積に対して最短のものとすることができる。これらは開閉の容易性、液漏れの危険の防止、生産性の向上などに有効である。
【００３４】
また特に、請求項３に記載の発明によれば、一対以上の雄嵌合子および雌嵌合子は、一対以上のジッパーテープが、包装袋本体と蓋部プラスチックフィルムそれぞれに積層されて構成されていることによって、密封性が高く、液漏れのおそれがなく、繰り返しの開閉が容易な包装袋を安価に提供することが可能である。
【００３５】
また特に、請求項４に記載の発明によれば、一対以上のジッパーテープの、雄嵌合子側、または雌嵌合子側、もしくは両方が、包装袋本体と蓋部プラスチックフィルムに一体成型されて形成されたものであることによって、密封性が高く、液漏れのおそれがなく、繰り返しの開閉が容易な包装袋を安価に提供することが可能である。
【００３６】
また、特に請求項５に記載の発明によれば、雄嵌合子、または雌嵌合子、もしくは両方が、包装袋本体と蓋部プラスチックフィルムに直接成型されて形成されたものであることによって、密封性が高く、液漏れのおそれがなく、繰り返しの開閉が容易な包装袋を安価に提供することが可能である。
【００３７】
また、特に請求項６に記載の発明によれば、雄嵌合子、または雌嵌合子、もしくは両方の成型は、射出成型、または圧縮成型によって形成されたものであることによって、密封性が高く、液漏れのおそれがなく、繰り返しの開閉が容易な包装袋を安価に提供することが可能である。
【図面の簡単な説明】
【００３８】
【図１】図１は本発明に係る包装袋の、一実施態様を説明するための、平面模式図である。
【図２】図２は本発明に係る包装袋の、一実施態様に関して、一対の雄嵌合子および雌嵌合子の、嵌合の状態を説明するための断面模式図である。
【図３】図３は本発明に係る包装袋の、一実施態様に関して、一対のジッパーテープの、雄嵌合子側、および雌嵌合子側が、包装袋本体と蓋部プラスチックフィルムに一体成型されて形成された状態を説明するための断面模式図である。
【図４】図４は本発明に係る包装袋の、一実施態様に関して、雄嵌合子および雌嵌合子が、包装袋本体と蓋部プラスチックフィルムに直接成型されて形成された状態を説明するための断面模式図である。
【発明を実施するための形態】
【００３９】
以下、本発明を図を参照しながら、更に詳しい説明を加える。ただし本発明は、ここに示す例にのみ限定されるものではない。本発明は、請求項によって限定されるものである。
【００４０】
図１は本発明に係る包装袋の、一実施態様を説明するための、平面模式図である。
【００４１】
本発明による包装袋（２０）は、包装袋本体と、蓋部プラスチックフィルム（４）と、断面が凸形、および凹形のプラスチック製の、一対の雄嵌合子および雌嵌合子を備えてなる。
【００４２】
また、包装袋（２０）本体は、プラスチックフィルムを基材とした積層体からなり、包装袋の内容物の取り出しが可能な開口部を有している。したがって、たとえば内容物を液体とすることも可能であり、内容物の取り出しが開口部（１０）を使って可能であって、また逆に開口部（１０）から包装袋（２０）への充填も可能である。
【００４３】
本発明において、包装袋（２０）の形状には特段の制約を設けるものではなく、任意であるが、図１に示す例においては、胴部は略矩形の形状であって、プラスチックフィルムを基材とした積層体を２枚、シーラント層同士を対向させて、包装袋周縁シール部（１）によって、表側胴部（１１）と、裏側胴部（１３）の４辺をシールして製袋した例である。
【００４４】
また図１に示す例において、開口部（１０）は表側胴部（１１）に設けられ、円形の開口部境界（２）を有している。内容物が充填されている状態において、蓋部プラスチックフィルム（４）によって、図１に示す例では円形の開口部境界（２）を有した、開口部（１０）を密封することが可能である。
【００４５】
すなわち、蓋部プラスチックフィルム（４）は、開口部（１０）、およびその外側周縁を覆って設けられ、一対の雄嵌合子および雌嵌合子（３）は、包装袋（２０）本体と蓋部プラスチックフィルム（４）との間に、開口部境界（２）の形状に沿って、開口部境界（２）の外側周縁を周回して閉じた形状に設けてある。
【００４６】
また、蓋部プラスチックフィルム（４）の形状は任意であって、開口部（１０）、およびその外側周縁の被覆、一対の雄嵌合子および雌嵌合子（３）の配置に必要な面積を有していれば、手指でのつまみやすさなど、開口部（１０）の開閉のしやすさ、あるいは商品としての意匠性などを考慮して適宜決定すればよい。
【００４７】
また特につまみやすさを重要視すれば、蓋部プラスチックフィルム（４）の端部にタブやつまみ部を設けることも可能である。図１に示す例においては、４隅に丸みを帯びた正方形の形状の例である。この正方形の４隅の余剰部分（５）をつまみとして用いることができる。
また一対の雄嵌合子および雌嵌合子（３）は、嵌合可能に対向させて、配置してある。たとえば、一対の雄嵌合子および雌嵌合子（３）を備えたジッパーテープを用いることができる。ジッパーテープは、一対の雄嵌合子および雌嵌合子（３）を有しており、嵌合可能に対向させて配置することができる。
【００４８】
これによって、蓋部プラスチックフィルム（４）をして、開口部（１０）全体を覆って、かつ開口部（１０）は開口部境界（２）の外周周縁において、一対の雄嵌合子および雌嵌合子（３）で密封することができる。また、一対の雄嵌合子および雌嵌合子（３）は、開口部境界（２）の外側周縁を周回して、繋ぎ目なく閉じた形状であるため、内容物がたとえば液体の場合においても液漏れのおそれがない。
【００４９】
したがって、本発明によれば、プラスチックフィルムを基材とした積層体からなる包装袋（２０）において、内容物の取り出しに別部材のスパウトを取り付けて用いることなく、密封性が高く、液漏れのおそれがなく、繰り返しの開閉が容易な包装袋（２０）を安価に提供することが可能である。
【００５０】
図２は本発明に係る包装袋の、一実施態様に関して、一対の雄嵌合子および雌嵌合子の、嵌合の状態を説明するための断面模式図である。
【００５１】
図２に示す例においては、断面模式図は、図１図中に示す直線Ａ−Ｂ間で切断した場合の断面の拡大模式図である。ここに示す例においては、一対の雄嵌合子および雌嵌合子（３）を有したジッパーテープ（１２）の嵌合の例である。
【００５２】
すなわち、雄嵌合子（６）は、嵌合部（８）において、雌嵌合子（７）と嵌合している状態を表している。
【００５３】
このように、断面が凸形、および凹形の、プラスチック製の一対の雄嵌合子、および雌嵌合子（３）が嵌合することによって、包装袋（２０）の開口部（１０）において、蓋部プラスチック（４）と、表側胴部（１１）との間の密封が可能であり、別部材のスパウトを取り付けて用いることなく、包装袋（２０）を密封することが可能である。
【００５４】
一般に、ジッパーテープ（１２）などに代表されるプラスチック製の、一対の雄嵌合子および雌嵌合子（３）は可撓性を有しており、繰り返しの開閉が必要な用途においても好適に用いることができ、繰り返しの開閉も容易である。
【００５５】
また、開口部（１０）、およびその外周周縁の、一対の雄嵌合子および雌嵌合子（３）の形状は、任意ではあるが、たとえば円形とすることができる。円形であることによって、開口部（１０）はその開口面積に対して、最短の開口部境界（２）とすることができる。
【００５６】
また、一対の雄嵌合子および雌嵌合子（３）もその形状を円形、すなわちリング状にすることによって、取り囲む面積に対して最短のものとすることができる。また、一対の雄嵌合子および雌嵌合子（３）が円形であることによって、特定の部分に、内容物による液圧などが集中することを避けることが可能である。
【００５７】
したがって、これらは開口部（１０）の開閉の容易性、液漏れの危険の防止により有効であり、加えて包装袋（２０）の生産性の向上や、コストの抑制などにもより効果的である。
【００５８】
一対の雄嵌合子および雌嵌合子（３）は、一対のジッパーテープ（１２）を用いて、包
装袋（２０）本体の表側胴部（１１）と、蓋部プラスチックフィルム（４）のそれぞれに積層して、開口部（１０）が構成されるのでもよい。
【００５９】
図３は本発明に係る包装袋の、一実施態様に関して、一対のジッパーテープの、雄嵌合子側、および雌嵌合子側が、包装袋本体と蓋部プラスチックフィルムに一体成型されて形成された状態を説明するための断面模式図である。
【００６０】
すなわち、一対のジッパーテープ（１２）の、雄嵌合子（６）側、または雌嵌合子（７）側、もしくは両方が、包装袋（２０）本体の表側胴部（１１）と蓋部プラスチックフィルム（４）に一体成型されて形成されたものであってもよい。
【００６１】
図３に示す例においては、蓋部プラスチックフィルム（４）に雄嵌合子（６）側のジッパーテープが、表側胴部（１１）に雌嵌合子（７）側のジッパーテープが、一体成型された例である。
【００６２】
図４は本発明に係る包装袋の、一実施態様に関して、雄嵌合子および雌嵌合子が、包装袋本体と蓋部プラスチックフィルムに直接成型されて形成された状態を説明するための断面模式図である。
【００６３】
すなわち、雄嵌合子、または雌嵌合子、もしくは両方が、包装袋（２０）本体と蓋部プラスチックフィルムに直接成型されて形成されたものであってもよい。
【００６４】
図４に示す例においては、蓋部プラスチックフィルム（４）に雄嵌合子（６）が、表側胴部（１１）に雌嵌合子（７）が、直接成型されて形成された例である。
【００６５】
これらの成型については特段の限定を加えるものではないが、たとえば、雄嵌合子、または雌嵌合子、もしくは両方の成型は、射出成型、あるいは圧縮成型によって形成されたものであってもよい。
【００６６】
このように、本発明によれば、プラスチックフィルムを基材とした積層体からなる包装袋において、内容物の取り出しに別部材のスパウトを取り付けて用いることなく、密封性が高く、液漏れのおそれがなく、繰り返しの開閉が容易な包装袋を安価に提供することが可能である。
【符号の説明】
【００６７】
１・・・包装袋周縁シール部
２・・・開口部境界
３・・・一対の雄嵌合子および雌嵌合子
４・・・蓋部プラスチックフィルム
５・・・余剰部分
６・・・雄嵌合子
７・・・雌嵌合子
８・・・嵌合部
１０・・・開口部
１１・・・表側胴部
１２・・・ジッパーテープ
１３・・・裏側胴部
２０・・・包装袋
【図１】
2019156460.tif 000003
【図２】
2019156460.tif 000004
【図３】
2019156460.tif 000005
【図４】
2019156460.tif 000006